(57)【特許請求の範囲】
【請求項１】
少なくとも１つの物理対象を検証のために登録するための、保存されたコンピュータ実行可能命令を有するコンピュータアクセス可能媒体であって、コンピュータ機構が前記命令を実行すると、前記コンピュータ機構が、
前記少なくとも１つの物理対象の微視的テクスチャに関する情報を受け取るステップと、
前記情報を少なくとも１つのデータベース内に保存することによって、前記少なくとも１つの物理対象を検証のために登録するステップと、
を含む手順を実行するように構成され、
前記情報は、
‐９ｍｍ×６ｍｍから１５ｍｍ×１２ｍｍの間の視野（ＦＯＶ）と、
‐４０ｌｐ／ｍｍから１００ｌｐ／ｍｍの間の、少なくとも１つのレンズ端部での解像度と、
‐０．１％から１％の間の歪曲収差と、
を有するレンズ機構によって生成される、
コンピュータアクセス可能媒体。
【請求項２】
前記コンピュータ機構は、前記レンズ機構から前記少なくとも１つの物理対象の表面への少なくとも１つの照明条件、少なくとも１つの光の波長、又は少なくとも１つの焦点距離のうちの少なくとも１つを変化させることによって前記情報を生成するようにさらに構成される、請求項１記載のコンピュータアクセス可能媒体。
【請求項３】
前記コンピュータ機構は、前記情報を、前記少なくとも１つの物理対象のカタログ情報にリンクするようにさらに構成され、前記カタログ情報は、（ｉ）シリアル番号、（ｉｉ）バーコード、（ｉｉｉ）名称、（ｉｖ）モデル番号、（ｖ）少なくとも１つの材料、（ｖｉ）少なくとも１つのスペクトル特性又は（ｖｉｉ）少なくとも１つの組成、のうちの少なくとも１つを含む、請求項１記載のコンピュータアクセス可能媒体。
【請求項４】
前記コンピュータアクセス可能媒体は携帯機器に備えられ、前記情報を送信するように構成される前記携帯機器に接続される少なくとも１つの接続機構をさらに備え、前記少なくとも１つの接続機構は、ブルートゥース、Ｗｉ−Ｆｉ、イーサネット又はＵＳＢのうちの少なくとも１つである、請求項１記載のコンピュータアクセス可能媒体。
【請求項５】
前記携帯機器は、携帯電話、タブレット又はパーソナルコンピュータの少なくとも１つである、請求項４記載のコンピュータアクセス可能媒体。
【請求項６】
前記コンピュータ機構は、前記情報に基づいて少なくとも１つのローカルデスクリプタ及び少なくとも１つのグローバルデスクリプタを生成するようにさらに構成される、請求項１記載のコンピュータアクセス可能媒体。
【請求項７】
前記コンピュータ機構は、
前記少なくとも１つの物理対象のさらに別の微視的テクスチャに関するさらに別の情報を受け取り、
前記さらに別の情報に基づいて少なくとも１つのさらに別のローカルデスクリプタ及び少なくとも１つのさらに別のグローバルデスクリプタを生成し、
（ｉ）前記少なくとも１つのさらに別のローカルデスクリプタを前記少なくとも１つのローカルデスクリプタと比較し、（ｉｉ）前記少なくとも１つのさらに別のグローバルデスクリプタを前記少なくとも１つのグローバルデスクリプタと比較し、
（ｉ）前記少なくとも１つのさらに別のローカルデスクリプタが前記少なくとも１つのローカルデスクリプタと一致し、（ｉｉ）前記少なくとも１つのさらに別のグローバルデスクリプタが前記少なくとも１つのグローバルデスクリプタと一致する場合に、前記少なくとも１つの物理対象の真正性を検証する、
ようにさらに構成される、請求項６記載のコンピュータアクセス可能媒体。
【請求項８】
前記コンピュータ機構は、前記一致が特定の閾値を上回る場合に前記真正性を検証するようにさらに構成される、請求項７記載のコンピュータアクセス可能媒体。
【請求項９】
前記コンピュータ機構は、前記少なくとも１つのさらに別のローカルデスクリプタ及び前記少なくとも１つのさらに別のグローバルデスクリプタのキーポイント座標が幾何学的整合特性を満たす場合に、前記真正性を検証するようにさらに構成される、請求項７記載のコンピュータアクセス可能媒体。
【請求項１０】
前記コンピュータ機構は、
前記少なくとも１つの物理対象のさらに別の微視的テクスチャに関するさらに別の情報を受け取り、
前記さらに別の情報を第１の情報と比較し、
前記さらに別の情報が前記第１の情報と一致する場合に、前記少なくとも１つの物理対象の真正性を検証する、
ようにさらに構成される、請求項１記載のコンピュータアクセス可能媒体。
【請求項１１】
前記少なくとも１つの物理対象は、（ｉ）贅沢品、（ｉｉ）医薬品、（ｉｉｉ）化粧品、（ｉｖ）玩具、（ｖ）スポーツ用品、（ｖｉ）美術品及び収集品、（ｖｉｉ）無記名債券及びクーポン、（ｖｉｉｉ）消費財、（ｉｘ）電子機器又は（ｘ）紙文書のうちの少なくとも１つを含む、請求項１記載のコンピュータアクセス可能媒体。
【請求項１２】
少なくとも１つの物理対象を検証のために登録する方法であって、
前記少なくとも１つの物理対象の微視的テクスチャに関する情報を受け取るステップと、
コンピュータハードウェア機構を用いて、前記情報を少なくとも１つのデータベース内に保存することにより、前記少なくとも１つの物理対象を検証のために登録するステップと、
を含み、
前記情報は、
‐９ｍｍ×６ｍｍから１５ｍｍ×１２ｍｍの間の視野（ＦＯＶ）と、
‐４０ｌｐ／ｍｍから１００ｌｐ／ｍｍの間の、少なくとも１つのレンズ外縁部での解像度と、
‐０．１％から１％の間の歪曲収差と、
を備えたレンズ機構によって生成される、
方法。
【請求項１３】
少なくとも１つの物理対象を検証のために登録するためのシステムであって、
前記少なくとも１つの物理対象の微視的テクスチャに関する情報を受け取り、
前記情報を少なくとも１つのデータベース内に保存することにより、前記少なくとも１つの物理対象を検証のために登録する、
ように構成されたコンピュータ機構を備え、
前記情報は、
‐９ｍｍ×６ｍｍから１５ｍｍ×１２ｍｍの間の視野（ＦＯＶ）と、
‐４０ｌｐ／ｍｍから１００ｌｐ／ｍｍの間の、少なくとも１つのレンズ端部での解像度と、
‐０．１％から１％の間の歪曲収差と、
を備えたレンズ機構によって生成される、
システム。
【請求項１４】
前記レンズ機構は、少なくとも６つのレンズをさらに備え、前記レンズのうちの少なくとも３つが各々凸面及び凹面を有し、前記レンズのうちの少なくとも２つが各々２つの凸面を有し、前記レンズのうちの少なくとも１つが２つの凹面を有する、
請求項１記載のコンピュータアクセス可能媒体。
【請求項１５】
（ｉ）前記レンズのうちの前記少なくとも３つのうちの第１のレンズは、凸面を有する第１の側面と凹面を有する第２の側面とを有し、（ｉｉ）前記レンズのうちの前記少なくとも３つのうちの第２のレンズは、凹面を有する第３の側面と凸面を有する第４の側面とを有し、前記第３の側面は前記第１のレンズの前記第２の側面に隣接し、（ｉｉｉ）前記レンズのうちの前記少なくとも３つのうちの第３のレンズは、凹面を有する第５の側面と凸面を有する第６の側面とを有し、前記第５の側面は前記第２のレンズの前記第４の側面に隣接する、請求項１４記載のコンピュータアクセス可能媒体。
【請求項１６】
（ｉ）前記レンズのうちの前記少なくとも２つのうちの第４のレンズは、凸面を有する第７の側面と凸面を有する第８の側面とを有し、前記第７の側面は前記第３のレンズの前記第６の側面に隣接し、（ｉｉ）前記レンズのうちの前記少なくとも１つの第５のレンズは、凹面を有する第９の側面と凹面を有する第１０の側面とを有し、前記第９の側面は前記第４のレンズの前記第８の側面に隣接し、（ｉｉｉ）前記レンズのうちの前記少なくとも２つのうちの第６のレンズは、凸面を有する第１１の側面と凸面を有する第１２の側面とを有し、前記第１１の側面は前記第５のレンズの前記第１０の側面に隣接する、請求項１５記載のコンピュータアクセス可能媒体。
【請求項１７】
前記レンズの各々の間の間隔は５ミクロンである、請求項１４記載のコンピュータアクセス可能媒体。
【請求項１８】
（ｉ）前記ＦＯＶは、１２ｍｍ×９ｍｍであり、（ｉｉ）レンズの少なくとも１つのレンズ端部での解像度は、１００ｌｐ／ｍｍであり、（ｉｉｉ）前記歪曲収差は、１％である、請求項１記載のコンピュータアクセス可能媒体。
【請求項１９】
前記レンズ機構は、非対称ダブルガウス構造を有する、請求項１記載のコンピュータアクセス可能媒体。
【請求項２０】
前記レンズ機構は、ネジ付きカラー機構の上に取付けられる、請求項１記載のコンピュータアクセス可能媒体。
【発明の詳細な説明】
【技術分野】
【０００１】
関連出願の相互参照
本出願は、引用により開示全体が本明細書に組み入れられる２０１３年７月１９日出願の米国特許出願第６１／８５６，１６１号に関連し、その優先権を主張するものである。
【０００２】
開示の分野
本開示は一般に対象を認証するための例示的なシステム、方法及びコンピュータアクセス可能媒体に関し、より具体的には、例示的なレンズシステムからの画像に基づく微視的テクスチャを用いて対象を認証するための例示的なシステム、方法及びコンピュータアクセス可能媒体の例示的な実施形態に関する。
【背景技術】
【０００３】
製品の贋造及び偽造は、損失が数十億ドルにもなり得る世界的な大問題となり得る。例えば、ホログラム、無線周波数識別（「ＲＦＩＤ：ｒａｄｉｏ  ｆｒｅｑｕｅｎｃｙ  ｉｄｅｎｔｉｆｉｃａｔｉｏｎ」）タグ、マイクロプリント及びタガントなどの様々な技術が、製品の識別及び認証に用いられている。しかし、これらの技術は、品物の偽造を軽減する上で非常に僅かしか成功していない。
【発明の概要】
【発明が解決しようとする課題】
【０００４】
従って、上記の欠陥の少なくとも一部を克服することができる、対象を認証するための例示的なレンズシステム／機構を提供することが有益であり得る。
【課題を解決するための手段】
【０００５】
約９ｍｍ×６ｍｍから約１５ｍｍ×１２ｍｍの間の視野（「ＦＯＶ：ｆｉｅｌｄ  ｏｆ  ｖｉｅｗ」）、約４０ｌｐ／ｍｍから約１００ｌｐ／ｍｍの間のレンズ端部（単数又は複数）での解像度、及び約０．１％から約１％の間の歪曲収差をもたらすように構成された複数のレンズを含むことができる例示的なレンズ機構を提供することができる。ＦＯＶは約１２ｍｍ×９ｍｍにすることができる。レンズ端部（単数又は複数）での解像度は約１００ｌｐ／ｍｍにすることができる。歪曲収差は約１％にすることができる。ＬＥＤ機構（単数又は複数）はレンズ近傍の対象を直接照らすように構成することができる。
【０００６】
本開示の幾つかの例示的な実施形態において、例示的なレンズは、ダブルガウス構造（Ｄｏｕｂｌｅ  Ｇａｕｓｓ  ａｒｃｈｉｔｅｃｔｕｒｅ）を有することができ、これを非対称型にすることができる。レンズはネジ付きカラー機構（ｔｈｒｅａｄｅｄ  ｃｏｌｌａｒ  ａｒｒａｎｇｅｍｅｎｔ）の上に取付けることができる。接続機構は、ブルートゥース（登録商標）、Ｗｉ−Ｆｉ、イーサネット（登録商標）又はＵＳＢを含むことができ、レンズによって与えられた画像を伝送するように構成することができる。これらレンズは、対象（単数又は複数）を認証するための構成において提供されることができる。
【０００７】
本開示の別の例示的な実施形態は、少なくとも６つのレンズを含み、それらレンズのうちの少なくとも３つが各々凸面及び凹面を有することができ、それらレンズのうちの少なくとも２つが各々２つの凸面を有することができ、それらレンズのうちの少なくとも１つが２つの凹面を有することができる、レンズ機構とすることができる。それらレンズのうちの少なくとも３つのうちの第１のレンズは、凸面を有することができる第１の側面及び凹面を有することができる第２の側面を有することができる。それらレンズのうちの少なくとも３つのうちの第２のレンズは、凹面を有することができる第３の側面及び凸面を有することができる第４の側面を有することができ、この第３の側面は第１のレンズの第２の側面に隣接することができる。それらレンズのうちの少なくとも３つのうちの第３のレンズは、凹面を有することができる第５の側面及び凸面を有することができる第６の側面を有することができ、この第５の側面は第２のレンズの第４の側面に隣接することができる。それらレンズのうちの少なくとも２つのうちの第４のレンズは、凸面を有することができる第７の側面及び凸面を有することができる第８の側面を有することができ、この第７の側面は第３のレンズの第６の側面に隣接することができる。それらレンズのうちの少なくとも１つの第５のレンズは、凹面を有することができる第９の側面及び凹面を有することができる第１０の側面を有することができ、この第９の側面は第４のレンズの第８の側面に隣接することができる。それらレンズのうちの少なくとも２つのうちの第６のレンズは凸面を有することができる第１１の側面及び凸面を有することができる第１２の側面を有することができ、この第１１の側面は第５のレンズの第１０の側面に隣接することができる。各々のレンズの間の間隔は約５ミクロンとすることができる。これらレンズは、少なくとも１つの対象を認証するための構成において提供されることができる。
【０００８】
別の例示的な実施形態は、検証のために対象（単数又は複数）を登録するための例示的なシステム、方法及びコンピュータアクセス可能媒体であり、これは、例えば、対象（単数又は複数）のテクスチャに関する情報を受け取るステップ、及び該情報をデータベース（単数又は複数）内に保存することによって検証のために対象（単数又は複数）を登録するステップを含むことができる。この情報は、レンズ機構によって生成することができ、このレンズ機構は、例えば、（ｉ）約９ｍｍ×６ｍｍから約１５ｍｍ×１２ｍｍの間の視野（「ＦＯＶ」）、約４０ｌｐ／ｍｍから約１００ｌｐ／ｍｍの間の、少なくとも１つのレンズ端部での解像度、及び約０．１％から約１％の間の歪曲収差、並びに／又は（ｉｉ）レンズのうちの少なくとも３つが各々凸面及び凹面を有し、レンズのうちの少なくとも２つが各々２つの凸面を有し、レンズのうちの少なくとも１つが２つの凹面を有する少なくとも６つのレンズ、を含むことができる。
【０００９】
本開示の幾つかの例示的な実施形態において、情報は、対象（単数又は複数）の表面上の照明条件（単数又は複数）、波長（単数又は複数）又は焦点距離（単数又は複数）を変化させることによって生成することができる。第１の情報は、対象（単数又は複数）のカタログ情報にリンクすることができる。カタログ情報は、シリアル番号、バーコード、名称、モデル番号、材料（単数又は複数）、スペクトル特性（単数又は複数）又は組成（単数又は複数）を含むことができる。本システム、方法及びコンピュータアクセス可能媒体は、携帯電話とすることができる携帯機器上に備えることができる。この情報に基づいてローカルデスクリプタ（単数又は複数）及びグローバルデスクリプタ（単数又は複数）を生成することができる。対象（単数又は複数）のさらに別のテクスチャに関するさらに別の情報を受け取ることができ、このさらに別の情報に基づいてさらに別のローカルデスクリプタ（単数又は複数）及びさらに別のグローバルデスクリプタ（単数又は複数）を生成することができる。このさらに別のローカルデスクリプタ（単数又は複数）をローカルデスクリプタ（単数又は複数）と比較することができ、さらに別のグローバルデスクリプタ（単数又は複数）をグローバルデスクリプタ（単数又は複数）と比較することができる。対象（単数又は複数）の真正性は、（ｉ）さらに別のローカルデスクリプタ（単数又は複数）がローカルデスクリプタ（単数又は複数）と実質的に一致し、及び（ｉｉ）さらに別のグローバルデスクリプタ（単数又は複数）がグローバルデスクリプタ（単数又は複数）と実質的に一致する場合に検証することができる。
【００１０】
本開示の幾つかの例示的な実施形態において、真正性は、一致が特定の閾値を超えることができる場合、及び／又はさらに別のローカルデスクリプタ（単数又は複数）及びさらに別のグローバルデスクリプタ（単数又は複数）のキーポイント座標が幾何学的整合特性を満たすことができる場合に検証することができる。本開示の幾つかの例示的な実施形態において、対象（単数又は複数）のさらに別のテクスチャに関するさらに別の情報を受け取ることができ、これを第１の情報と比較することができ、対象（単数又は複数）の真正性は、さらに別の情報が第１の情報と実質的に一致することができる場合に検証することができる。対象（単数又は複数）は、（ｉ）贅沢品、（ｉｉ）医薬品、（ｉｉｉ）化粧品、（ｉｖ）玩具、（ｖ）スポーツ用品、（ｖｉ）美術品及び収集品、（ｖｉｉ）無記名債券及びクーポン、（ｖｉｉｉ）消費財、（ｉｘ）電子機器又は（ｘ）紙文書を含むことができる。
【００１１】
本開示の別の例示的な実施形態において、対象（単数又は複数）の真正性を検証するための例示的なシステム、方法及びコンピュータアクセス可能媒体があり、これは、例えば、対象（単数又は複数）のテクスチャに関する情報を受け取るステップと、このテクスチャをデータベース（単数又は複数）内に保存されているさらに別のテクスチャ（単数又は複数）と比較するステップと、このテクスチャがさらに別のテクスチャ（単数又は複数）と実質的に一致することができる場合にこの１つの対象（単数又は複数）の真正性を検証するステップとを含むことができる。その情報は、（ｉ）レンズのうちの少なくとも３つが各々凸面及び凹面を有し、レンズのうちの少なくとも２つが各々２つの凸面を有し、レンズのうちの少なくとも１つが２つの凹面を有する、少なくとも６つのレンズを含むことができるレンズ機構、並びに／又は、（ｉｉ）約９ｍｍ×６ｍｍから約１５ｍｍ×１２ｍｍの間の視野（「ＦＯＶ」）、約４０ｌｐ／ｍｍから約１００ｌｐ／ｍｍの間の、少なくとも１つのレンズ端部での解像度、及び約０．１％から約１％の間の歪曲収差を有するレンズ機構によって生成することができる。
【００１２】
本開示の例示的な実施形態のこれら並びに他の目的、特徴及び利点は、本開示の例示的な実施形態についての以下の詳細な説明を添付の特許請求の範囲と併せて読むときに明らかとなるであろう。
【００１３】
本開示のさらに別の目的、特徴及び利点は、本開示の例証的な実施形態を示す添付の図面に関連して記述された以下の詳細な説明から明らかとなるであろう。
【図面の簡単な説明】
【００１４】
【図１】本開示の例示的な一実施形態による例示的なレンズ構造／構成の例示的な略図である。
【図２】本開示の例示的な一実施形態による、約４００ｎｍから約６５６ｎｍまでの波長範囲に対する変調伝達関数（「ＭＴＦ：Ｍｏｄｕｌａｔｉｏｎ  Ｔｒａｎｓｆｅｒ  Ｆｕｎｃｔｉｏｎ」）の例示的なグラフである。
【図３】本開示の例示的な一実施形態による、約４８６ｎｍから約６５６ｎｍまでの波長範囲に対するＭＴＦの例示的なグラフである。
【図４】本開示の例示的な一実施形態による、約４８６ｎｍから約７２０ｎｍまでの波長範囲に対するＭＴＦの例示的なグラフである。
【図５】本開示の例示的な一実施形態による、約５００ｎｍから約６２０ｎｍまでの波長範囲に対するＭＴＦの例示的なグラフである。
【図６】本開示の例示的な一実施形態による光学的構成及び関連する光線のモンテカルロシミュレーションを用いたパターン解析の例示的な図である。
【図７】本開示の例示的な実施形態による例示的なレンズ構造／構成及び鏡筒の一組の側面図及び正面図である。
【図８】本開示の例示的な一実施形態によるレンズ構成及びケーシングの内部構造の略断面図である。
【図９Ａ】従来の顕微鏡を用いて得られる例示的な画像である。
【図９Ｂ】本開示の例示的な一実施形態による例示的な認証システムによって生成される例示的な画像である。
【図１０】本開示の例示的な一実施形態による、空間解像度対一致値を示す例示的なグラフである。
【図１１】本開示の特定の例示的な実施形態による例示的なシステムの例示的なブロック図の説明図である。
【発明を実施するための形態】
【００１５】
図面全体にわたり、同じ参照数字及び文字が、特に別に指定されない限り、例証的な実施形態の類似の特徴、要素、構成要素又は部分を示すのに用いられる。さらに、次に本開示が図面を参照しながら詳細に説明されるが、これは例証的な実施形態に関連して行われるもので、図面に示した特定の実施形態によって限定されるものではない。
【００１６】
本開示の例示的な一実施形態による例示的なシステム、方法及びコンピュータアクセス可能媒体は、物理的対象からの微視的テクスチャを捕捉し処理して各々の対象を一意的に表すことができる。例示的なシステム、方法及びコンピュータアクセス可能媒体は、対象の内在的な複雑な微視的構造と複数の散乱光との相互作用から微視的テクスチャを捕捉することができるテクスチャスペックルの概念（例えば、参考文献１及び２を参照されたい）に基づくものとすることができる。例示的なシステム及び／又はその構成要素は、それを様々な表面、対象及び物質の微視的テクスチャを捕捉するのに有益にすることができる特定の性質を有することができる。
【００１７】
例示的なシステム、方法及びコンピュータアクセス可能媒体は、本明細書においてさらに詳細に説明するように、光学システム／機構／装置、機械システム／機構／装置、及び様々な電子機器を含むことができる。
【００１８】
例示的な光学システム
本開示の例示的な一実施形態による例示的な光学システムは、レンズ構造体、センサ及び／又は照明システムを含むことができる。レンズ構造体は、固定倍率において画像を抽出するように設計された非対称ダブルガウス構造とすることができ又はそれを含むことができる。ｆストップは、例えば、約ｆ／１２．５から約ｆ／２．５まで変えることができ、拡大率（例えば、対象の高さを画像の高さで割った比）は約０．５とすることができる。レンズ構造体の視野（「ＦＯＶ」）は約９ｍｍ×６ｍｍから約１５ｍｍ×１２ｍｍまで変えることができる。例示的な一実施形態において、ＦＯＶは約１２ｍｍ×９ｍｍとすることができる。図１は、固定焦点レンズシステムを有する可変レンズ構造体を示す。本開示の例示的な一実施形態による例示的なシステム、方法及びコンピュータアクセス可能媒体は、図１に示すように、以下の表１に記述する例示的な機械的レンズ構成１００を有することができる。図１及び表１に示す寸法は、例示のためだけのものであり、他の例示的な寸法を用いることができることに留意されたい。
【００１９】
【表１】
0006478995.tif 000002
【００２０】
例示的な照明は、例えば、レンズ構造体の鏡筒の前（例えば、外面）の発光ダイオード（「ＬＥＤ」）によってもたらすことができる。均一な照明のために、外面上の約４〜８つのＬＥＤによる直接照明、及び光成形ディヒューザに基づく拡散直接照明の両方を使用することができる。
【００２１】
例示的な光学システムは、例えば、約３００ｎｍから約７００ｎｍまでの波長範囲に対して提供されることができる。本開示の例示的な実施形態による、波長の各範囲に対応する変調伝達関数（「ＭＴＦ」）の例示的なグラフを図２〜図５に示す。
【００２２】
図２〜図５に示すように、本光学システムの例示的な空間解像度は、中心において約１６０ｌｐ／ｍｍとすることができる。端部における解像度は、約１２ミクロン又は４０ｌｐ／ｍｍから約５ミクロン又は約１００ｌｐ／ｍｍまで変えることができる。例示的な光学性能はその回折限界（例えば、＄＼ｆｒａｃ｛＼ｌａｍｂｄａ｝｛２ｎ＼ｓｉｎ（＼ｔｈｅｔａ）｝＄によって与えられる光学システムの解像度の理論限界、ここで＄＼ｌａｍｂｄａ＄は光の波長とすることができ、＄ｎ＼ｓｉｎ（＼ｔｈｅｔａ）＄は開口数とすることができる）の近くにすることができる。例示的な光学システムは回折限界にすることができるので、微視的テクスチャを高解像度で処理することができる。
【００２３】
図２は、約４００ｎｍから約６５６ｎｍまでの波長範囲を有する例示的なレンズシステムの、センサ領域内の３つの点（例えば、約１．９ｍｍ掛ける約３．８７５ｍｍの中心）を横切る例示的なＭＴＦを示す。要素／線２０５及び２１０は、約３．８７５ｍｍ（例えば、センサの中心から）における接線方向及び矢状方向のＭＴＦを示す。要素／線２１５は、センサの中心における接線方向及び矢状方向のＭＴＦを示す。要素／線２２０及び２２５は、約１．９ｍｍにおける接線方向及び矢状方向のＭＴＦを示す。要素／線２３０は、例示的なレンズシステム／装置全体の回折限界ＭＴＦを示す。
【００２４】
図３は、約４８６ｎｍから約６５６ｎｍまでの波長範囲を有する例示的なレンズシステムの、センサ領域内の３つの点（例えば、約１．９ｍｍ掛ける約３．８７５ｍｍの中心）を横切るさらに別の例示的なＭＴＦを示す。要素／線３０５はセンサの中心における接線方向及び矢状方向のＭＴＦを示す。要素／線３１０及び３１５は、約１．９ｍｍにおける接線方向及び矢状方向のＭＴＦを示す。要素／線３２０及び３２５は、約３．８７５ｍｍにおける接線方向及び矢状方向のＭＴＦを示す。要素／線３３０は、例示的なレンズシステム／装置全体の例示的な回折限界ＭＴＦを示す。
【００２５】
図４は、約４８６ｎｍから約７２０ｎｍまでの波長範囲における例示的なレンズシステムの、センサ領域内の３つの点（例えば、約１．９ｍｍ掛ける約３．８７５ｍｍの中心）を横切るさらに別の例示的なＭＴＦを示す。要素／線４０５はセンサの中心における接線方向及び矢状方向のＭＴＦを示す。要素／線４１０及び４１５は、約１．９ｍｍにおける接線方向及び矢状方向のＭＴＦを示す。要素／線４２０及び４２５は、約３．８７５ｍｍにおける接線方向及び矢状方向のＭＴＦを示す。要素／線４３０は、例示的なレンズシステム／装置の回折限界ＭＴＦを示す。
【００２６】
図５は、約５００ｎｍから約６２０ｎｍまでの波長範囲における例示的なレンズシステムの、センサ領域内の３つの点（例えば、約１．９ｍｍ掛ける約３．８７５ｍｍの中心）を横切るさらに別の例示的なＭＴＦを示す。要素／線５０５はセンサの中心における接線方向及び矢状方向のＭＴＦを示す。要素／線５１０及び５１５は、約１．９ｍｍにおける接線方向及び矢状方向のＭＴＦを示す。要素／線５２０及び５２５は、約３．８７５ｍｍにおける接線方向及び矢状方向のＭＴＦを示す。要素／線５３０は、例示的なレンズシステム／装置の例示的な回折限界ＭＴＦを示す。
【００２７】
モンテカルロ光線追跡手順を用いて特定の波長の光をシミュレーションし、光学システムにわたる整合性を保証することができる。図６は、本開示の例示的な実施形態による、例示的な対象からセンサへのレンズ構成を横切る例示的な光線パターンを示す。要素／ビーム６０５は、視野端部から約３．８７５ｍｍにおけるセンサ端部への光線を示す。要素／ビーム６１０は、視野内の中間点から約１．９ｍｍにおけるセンサへの光線を示す。要素／ビーム６１５は、視野の中心からセンサの中心への光線を示す。例示的な可変焦点レンズシステムに関して、Ｆストップ、拡大率及び作動距離を適宜変えることができる。例示的なシステムの解像度は約６０ｌｐ／ｍｍより大きくすることができ、これが約７ミクロンの構造体の解像を容易にすることができる。例示的な可変倍率レンズシステムは、約２ミクロンの解像度で約１ｍｍ×１ｍｍのＦＯＶにズームインすることができる。
【００２８】
例示的な機械システム
例示的な機械的筐体は、例示的なカラーアセンブリ及び例示的な電子的構成要素の取付けのための機構を有する簡単なケーシング・ユニットを含むことができる。
【００２９】
例示的な鏡筒及びカラーアセンブリ
例示的な鏡筒は、例示的レンズの配置のための中央内腔を有する円筒とすることができ、又はそれを含むことができる。鏡筒内部の内腔を高精度（例えば、約５ミクロン）に機械加工することができる。スペーサがレンズ間の距離、即ち、レンズ間の空隙を維持することができる。このスペーサはまた、例えば、厚さが約５ミクロン、並びに、面逃げ及び逃げについて約２〜３ミクロンまでの寸法精度に維持することができる。スペーサはレンズの中心性を維持することができる。図７に示すように、スペーサ番号４及び６（例えば、要素／部品７０５及び７１５）は、より小さいレンズの様々な例示的プロファイルに適合するように階段状の機構を有することができる。スペーサ番号５（例えば、要素７１０）は開口絞りとして機能することができる。スペーサ番号５（例えば、要素／部品７１０）は、他のスペーサに比べて著しく小さい内腔を有することができる。鏡筒内腔の後端部（例えば、要素／部品７２０）に、適合するオスネジ切り部を伴う内側メスネジ切り部を設けることができる。この例示的な機構を用いて、レンズを所定位置に保持することができ、操作中のレンズの如何なる移動をも防ぐことができる。
【００３０】
本開示の例示的な一実施形態による、レンズアセンブリを伴う完全な鏡筒を、ネジ付きカラー機構の上に取付けることができる。カラー及び鏡筒上のネジは、システムの焦点距離の調整を容易にすることができる。微調整により所望の画像鮮明さを達成することができる。カラーにネジ穴を設けてボードカメラの取付けを容易にすることができる。カラーの中心穴が、ボードカメラ内のＣＭＯＳセンサ上に像が形成されるのを容易にすることができる。
【００３１】
例示的なケーシング
例示的なケーシングは、鏡筒カラー及びボードカメラアセンブリのための機構を有するアルミニウムの正方形中空部分とすることができる。図８は、例示的なレンズ８０５、スペーサ８１０、鏡筒８１５及びケーシング８２０を示す。例示的なケーシング８２０は、入力及び／又は出力ポート、例えば、ＵＳＢ２．０タイプＡメスピンのための回路を収容することができる上端部の上にキャップ機構を有することができる。
【００３２】
ケーシング８２０内部の取付け部は、主レンズシステムのための固定機能を有することができる縁とするか又はそれを含むことができる。可変倍率及び可変焦点距離のレンズシステムを組み込むために、微調整、例えば、望遠鏡又はネジ機構を設けることができる。
【００３３】
例示的な照明基板（例えば、ＬＥＤが円形に装着されたプリント回路基板（「ＰＣＢ：ｐｒｉｎｔｅｄ  ｃｉｒｃｕｉｔ  ｂｏａｒｄ」））を、レンズ鏡筒アセンブリの前に装着するか又は設けることができる。この例示的な構成は、ＦＯＶに対して均一な照明を与えることができる。照明基板の電源は、ケーシングの上部の単一の入出力ポートから引き出すことができる。
【００３４】
例示的な電子機器
例示的な電子構成要素が（ａ）センサ及びその機能、（ｂ）異なる形式（例えば、ＪＰＥＧ、ＴＩＦＦ、ＰＮＧ）への画像変換、（ｃ）センサボードからＵＳＢ、Ｗｉ−Ｆｉ及びブルートゥースチャネルへの通信、並びに（ｄ）照明を制御することができる。
【００３５】
例示的な特徴
本開示の例示的な実施形態による例示的なシステム、方法及びコンピュータアクセス可能媒体は、様々な特徴を有することができ、これらには、以下のものを挙げることができる。
ａ）特定の焦点距離：微視的テクスチャは、空間解像度の特定の範囲内で一意的に表すことができる。例示的な機器は、微視的テクスチャの一意性を保存することができるように特定の解像度から微視的テクスチャを抽出するように調整することができる。
ｂ）回折限界：例示的な機器は、ＦＯＶに対して撮像システムを回折限界にすることができるように設計することができる。
ｃ）高解像度、低歪み：例示的な機器は、レンズ構成の理論的性能に一致するか又は殆ど一致するように設計することができる。これは、例えば、約７ミクロン又はそれ以下のオーダの高解像度を与えることができる。解像度は、より高い解像度を達成するように焦点距離を変化させることによってさらに向上させることができる。視野の湾曲及び歪みを最小限（例えば、約０．１％〜１％内）にすることができる。
ｄ）非対称ダブルガウス構造：例示的なレンズ構造は、光学収差及び歪み（例えば、鏡筒効果、非点収差、ピンクッション効果、球面歪み、色収差及び視野湾曲）を減らすことができる。
ｅ）携帯性及び使い易さ：例示的な機器は携帯用（例えば、サイズ：約５０ｍｍ×５０ｍｍ×１００ｍｍ）とすることができ、誰でも殆ど又は全く助けなしに使用することができる。これは、画像を抽出するために精密なスタンド及びテーブルを必要とする顕微鏡と著しく対照的である。例示的な機器は、何かのスタンド又はテーブルなしに、対象の上に簡単に配置することができ、画像を抽出することができる。焦点を固定することができるので、対象の表面を焦点にすることができる。この特徴により、ユーザは対象を容易に記録し、その真正性を検証することができる。
ｆ）均一な照明：ＬＥＤは、鏡筒の外面に円形状に備えることができ、これが視野に対して均一な照明をもたらすことができる。これは、複数の機器にわたる一貫した結果を容易にすることができる。
ｇ）多色：本開示の例示的な一実施形態による例示的なシステム、方法及びコンピュータアクセス可能媒体は、多色光源及び多色対象を用いる使用のために設計することができる。多色対象は任意の色のものとすることができ、本開示の例示的な一実施形態による例示的なシステム、方法及びコンピュータアクセス可能媒体は、それでもやはり、対象から微視的テクスチャを抽出することができる。
ｈ）形状不変：例示的な機器は２次元（「２Ｄ：ｔｗｏ−ｄｉｍｅｎｓｉｏｎａｌ」）及び３次元（「３Ｄ：ｔｈｒｅｅ−ｄｉｍｅｎｓｉｏｎａｌ」）対象の両方から微視的テクスチャを抽出することができる（例えば、機器の視野深度は約２ｍｍ以内とすることができる）。３Ｄ対象において焦点における視野はその曲率に依存し得る。
ｉ）物質不変：一部の顕微鏡及び機器は特定の物質を撮像するように設計することができるが、例示的なシステム、方法及びコンピュータアクセス可能媒体は、任意の種類の物質の表面から微視的テクスチャを抽出することができる（例えば、多色性及び形状不変性による）。
【００３６】
例示的な操作
例示的な機器及びシステムは、例示的な対象を識別し認証するための以下の例示的な手順に使用することができる。
【００３７】
例示的な記録又は登録
例示的な機器／システムは、記録又は登録する例示的な対象を製造することができる組立てライン内に、又は工業プロセスの一部として配置することができる。例示的な機器／システムは、様々な形態の微視的テクスチャを、例えば、対象の表面上の照明条件、波長、焦点距離などを変化させることによって捕捉することができ、その情報を中央リポジトリ又はデータベース内に保存することができる。例示的な機器／システムから受け取られたデータは、イーサネット（登録商標）、Ｗｉ−Ｆｉ、ブルートゥース、ユニバーサルシリアルバス（「ＵＳＢ」）、ＧｉｇＥＶｉｓｉｏｎ（「ＧｉＧＥ」）などによって転送することができる。ひとたびデータがリポジトリ又はデータベース内に保存されると、そのデータを処理し、後の時点における対象の検証のためのキーポイント情報に変換することができる。対象の微視的データを、そのカタログ情報、例えば、シリアル番号、バーコード、名称、モデル番号、材料、スペクトル特性、組成などにリンクすることができる。これは、検証手続き中の対象の一意的な識別を容易にすることができる。対象が、取引チェーンの１つのノードから次のノードへ移動する際に、その真正性を、例示的な機器を用いて微視的テクスチャを読み取ることによって検証することができる。
【００３８】
例示的な検証
本開示の例示的な一実施形態による例示的なシステム、方法及びコンピュータアクセス可能媒体は、供給チェーン内のあらゆるノードにおいて、ユーザが、記録又は登録された対象の真正性を検証するために使用することができる。
【００３９】
例えば、固定焦点撮像システムに関して、ユーザは、機器を対象の上、又は対象のテクスチャ画像を捕捉する領域の表面近傍に配置することができる。可変焦点距離機器に関しては、ひとたびその機器を対象の上に配置するか又は対象の表面近傍に保持すると、ユーザは容易に焦点を調整することができる。ユーザは、携帯機器（例えば、携帯電話、携帯情報端末、タブレットなど）上又はコンピュータ（例えば、ラップトップ又はデスクトップ）上のアプリケーションを開いて、対象の表面のライブストリーム／映像を見ることができる。レンズシステムからの作動距離を固定することができるので、対象の画像は常に「焦点を合わせる」ことができる。機器の可変焦点バージョンに関して、ユーザは焦点距離を調整してぼやけの無い即ち焦点の合った画像を得ることができる。
【００４０】
ユーザは、画像の捕捉を容易にすることができ、その画像を処理のためにサーバに転送／アップロードすることができる。転送は、ＵＳＢ、Ｗｉ−Ｆｉ及び／又はブルートゥースなどによることができる。画像は、例示的な機器内で又はクラウド内で処理することができる。画像は、例示的な機器内で又はクラウド内で、一組のローカル及びグローバルデスクリプタに変換することができ、次いで、リポジトリ又はデータベース内の一組のローカル及びグローバルデスクリプタと比較することができる。一致するデスクリプタが特定の閾値を上回ることができ、及びキーポイント座標が幾何学的整合特性を満たすことができる場合、微視的テクスチャを一致するものと見なすことができる。クラウドからの結果を機器に返送することができる。結果は、例えば、「真正の」又は「偽の」又は「読取り不能」と表示することができる。これは、対象が本物であり得るか又は偽物であり得るかを示すことができる。対象が本物であり得る場合、結果は対象の詳細なメタデータを含むことができる。
【００４１】
例示的な用途
上記の例示的な操作は、ひとたび対象を記録又は登録することができると、その真正性を供給チェーン内のエンドユーザに至るまでの全てのノードにおいて検証することができ、様々な例示的なユーザ事例において適用することができる。例示的な機器／システム及び対象の真正性を検証するそのプロセスは、次の例示的な市場、即ち、（１）贅沢品、（２）医薬品、（３）化粧品、（４）玩具、（５）スポーツ用品、（６）美術品及び収集品、（７）無記名債券及びクーポン、（８）消費財、（９）電子機器及び／又は（１０）紙文書、に適用することができる。
【００４２】
美術品の例示的な登録及び検証
例示的な美術品の登録
美術作品を、表を下にして白紙又は任意の紙或は布ベースの層の上に配置することができる。本開示の例示的な一実施形態による例示的なシステム、方法及びコンピュータアクセス可能媒体は、絵画又は美術作品の裏面から微視的テクスチャを抽出することができ、その理由は、絵画表面からの読取りからの微視的テクスチャは、時間が経過するにつれて整合性が無くなる可能性があるためである。これは、絵の具の退色、顔料色又はキャンバス上に描くのに使用することができる任意の他の媒体の変化による可能性がある。
【００４３】
本開示の例示的な一実施形態による例示的なシステム、方法及びコンピュータアクセス可能媒体は、美術作品の画像を抽出することができる（例えば、美術作品の前面のスキャン）。絵画の裏面から抽出することができる例示的な微視的テクスチャの一意的な特徴を、絵画の前面からの微視的テクスチャにリンクすることができる。
【００４４】
美術作品及び美術家に関する付加的な付随データを同様にリンクすることができる。例えば、（１）美術家の名前、（２）題、（３）タイムスタンプ及び当該美術作品に関連する他のデータ、などの情報をリンクすることができる。リンクされた全ての情報（例えば、一意的な微視的特徴、絵画の画像、美術家の経歴データ、カタログ情報など）を暗号化して安全なデータベース内に保存することができる。
【００４５】
例示的な美術品検証
検証プロセスは、一般的検証プロセスの一部として上述したのと類似のものとすることができる。
【００４６】
製造品の例示的な検証
例示的な操作を用いて、様々な集合的対象、例えば、旅行カバン、札入れ、財布、ハンドバッグ、靴、ベルト、時計、衣料、ゴルフクラブ、スポーツ用品、電子機器、化粧品、医薬品及び玩具などを登録／記録することができる。
【００４７】
例示的な製造品の登録
全ての上記の例示的な集合的対象を、それらの製造の間、前、又は直後に登録及び／又は記録することができる。記録が、製造又は組立ての前に行われる場合、特定の原材料又は複数の原材料を登録することができる。そうでなければ、対象を、それらの生産ライン内の個々の段階として、又は製造後の別の段階として個々に登録することができる。各々の対象を、特定の領域において個々にスキャンすることができ、スキャンする範囲は、対象の形状、サイズ、寸法、ブランド要件、対象の知的財産要件、材料及び特定の生産ラインに基づいて、対象の各種類に対して異なり得る。さらに、個々の対象に付随するメタデータは、集合的対象の種類に応じて、個々の対象のスキャンと統合することができる。この統合されたデータは、将来の検証のために安全なデータベースに保存することができる。
【００４８】
紙文書、政府発行ＩＤ及び無記名債券クーポンの例示的な登録及び検証
紙文書及び無記名債券は、発行当局（例えば、銀行、機関又は政府機関）に応じて様々な寸法に印刷及び／又は作成されている可能性があるが、一般には紙に印刷されている可能性がある。これはまた、通貨、切手、売渡証書、法的文書、学位証明書、履歴書、商取引領収書、請求伝票、コレクティブルカード（ｃｏｌｌｅｃｔｉｂｌｅ  ｃａｒｄ）を含むことができる。政府発行ＩＤは、パスポート、有権者ＩＤ、運転免許証、資格カード及びビザを含むことができるが、これらに限定されない。
【００４９】
紙文書、政府発行ＩＤ及び無記名債券クーポンの例示的登録
印刷された紙文書、ＩＤ及び無記名債券は、文書若しくは債券に当事者間の具体的契約について印刷すること、又は文書若しくは債券に、エンティティ（例えば、個人又は機関）に対する金銭的価値を割当てることができる、取引チェーン内の第１ポイントで記録することができる。無記名債券の場合には、債券及び、もしあれば、それらに付随するクーポンをスキャンすることができ、それらのメタデータを統合して、紛失したクーポンを発見できた場合に、それらを認証できることを確実にすることができる。スキャンする表面の範囲は、その寸法に応じて変わり得る。
【００５０】
図９Ａは、従来の顕微鏡によって撮られた例示的な画像を示し、図９Ｂは、本開示の例示的な実施形態による例示的なシステム、方法及びコンピュータアクセス可能媒体によって撮られた例示的な画像を示す。従来の顕微鏡は、図９Ａに要素９０５として示される凡そ２２ミクロン又は２２ｌｐ／ｍｍの、ＵＳＡＦ試験ターゲット画像内のグループ４、ナンバー４を解像する。本開示の例示的な一実施形態による例示的なシステム、方法及びコンピュータアクセス可能媒体は、図９Ｂに要素９１０として示される凡そ６ミクロン又は約１００ｌｐ／ｍｍの、ＵＳＡＦ試験ターゲット画像内のグループ６、ナンバー２を解像することができる。従来の顕微鏡によって得られた画像はまた、照明のむらを示す。
【００５１】
図１０は、空間解像度対一致値を示す例示的なグラフである。空間解像度が増加するにつれて、個々の表面の対の間のキーポイント一致値が減少し得る。従って、各々の微視的テクスチャ画像を一意的に識別することができる。この例示的なグラフは、例えば、キャンバス１０００、紙１００５、革、プラスチック１０１５、木１０２０、ガラス１０２５、金属及び織布１０３０などの材料に関して、空間解像度が増加する際の一致値の変化を示す。例示的な機器は約１００ｌｐ／ｍｍ又は約６ミクロンに至るまで解像することができる。グラフに示すように、約１２ミクロン未満の材料の２つの微視的テクスチャを識別することができる。
【００５２】
例示的な機械的レンズレイアウト
例示的なシステム、方法及びコンピュータアクセス可能媒体は、以下の表２に詳しく示す例示的な機械的レンズレイアウトを有することができる。
【００５３】
【表２】
0006478995.tif 000003
【００５４】
図１１は、本開示によるシステムの例示的な一実施形態のブロック図を示す。例えば、本明細書で説明する本開示による例示的な手順は、処理機構及び／又はコンピューティング機構１１０２によって実行することができる。そのような処理／コンピューティング機構１１０２は、例えば、全体として、例えば、１つ又はそれ以上のマイクロプロセッサを含むことができ、コンピュータアクセス可能媒体（例えば、ＲＡＭ、ＲＯＭ、ハードドライブ、又は他の記憶装置）に保存された命令を使用することができるコンピュータ／プロセッサ１１０４とするか、又はその一部分とするか、又はそれを含むことができるが、それに限定されるものではない。
【００５５】
図１１に示すように、例えば、コンピュータアクセス可能媒体１１０６（例えば、上記のように、ハードディスク、フロッピーディスク、メモリスティック、ＣＤ―ＲＯＭ、ＲＡＭ、ＲＯＭなどの記憶装置、又はそれらの集合体）を備えることができる（例えば、処理機構１１０２と通信状態にある）。コンピュータアクセス可能媒体１１０６は、その上に実行可能命令１１０８を含むことができる。さらに又は代替的に、コンピュータアクセス可能媒体１１０６とは別に記憶機構１１１０を備えることができ、これが命令を処理機構１１０２に与え、それにより、処理機構を、例えば、上記の特定の例示的な手順、処理及び方法を実行するように設定することができる。
【００５６】
さらに、例示的な処理機構１１０２に入力／出力機構１１１４を設けるか又は含めることができ、これが、例えば、有線ネットワーク、無線ネットワーク、インターネット、イントラネット、データ収集プローブ、センサなどを含むことができる。図１１に示すように、例示的な処理機構１１０２は、例示的な表示機構１１１２と通信することができ、この表示機構は、本開示の特定の例示的な実施形態により、例えば、処理機構からの情報を出力するのに加えて、情報を処理機構に入力するために構成されたタッチスクリーンとすることができる。さらに、例示的な表示機構１１１２及び／又は記憶機構１１１０は、データをユーザアクセス可能形式及び／又はユーザ可読形式で表示及び／又は保存するために使用することができる。
【００５７】
上述のことは、本開示の原理を単に説明するものである。説明した実施形態に対する様々な修正物及び変更物が、本明細書の教示を考慮して当業者には明白となるであろう。従って、当然のことながら、当業者であれば、本明細書においては明示的に示さず又は説明しなかったが、本開示の原理を具体化し、従って、本開示の主旨及び範囲に入れることができる多くのシステム、機構、及び手順を考案することができるであろう。当業者であれば理解するはずであるように、種々様々な例示的な実施形態を、互いに一緒に、及び交換可能に用いることができる。さらに、例えばデータ及び情報を含むがそれに限定されない、本明細書、図面及びその特許請求の範囲を含む本開示において用いられる、特定の用語は、特定の場合には同意語として用いることができる。互いに同意語とすることができるこれらの単語及び／又は他の単語は、本明細書では同意語として用いることができるが、そのような単語を同意語として使用しないように意図することができる場合があり得ることを理解されたい。さらに、従来技術の知識が上記で引用により明示的に本明細書に組み入れられていない程度まで、その全体が明示的に本明細書に組み入れられる。全ての引用される刊行物は、引用によりその全体が本明細書に組み入れられる。
【００５８】
例示的な参考文献
以下の参考文献は、引用によりその全体が本明細書に組み入れられる。
［１］Ａｓｈｌｅｓｈ  Ｓｈａｒｍａ，  Ｌａｋｓｈｍｍａｒａｙａｎａｎ  Ｓｕｂｒａｍａｎｉａｎ，  ａｎｄ  Ｅｒｉｃ  Ａ．  Ｂｒｅｗｅｒ．  Ｍｉｃｒｏｓｃｏｐｉｃ  ｐａｐｅｒ  ｆｉｎｇｅｒｐｒｉｎｔｉｎｇ．  Ｉｎ  ＳＰＩＥ  Ｎｅｗｓｒｏｏｍ，  １６  Ａｐｒｉｌ  ２０１２．
［２］Ａｓｈｌｅｓｈ  Ｓｈａｒｍａ，  Ｌａｋｓｈｍｍａｒａｙａｎａｎ  Ｓｕｂｒａｍａｎｉａｎ，  ａｎｄ  Ｅｒｉｃ  Ａ．  Ｂｒｅｗｅｒ．  Ｐａｐｅｒｓｐｅｃｋｌｅ：  ｍｉｃｒｏｓｃｏｐｉｃ  ｆｉｎｇｅｒｐｒｉｎｔｉｎｇ  ｏｆ  ｐａｐｅｒ．  Ｉｎ  ＡＣＭ  Ｃｏｎｆｅｒｅｎｃｅ  ｏｎ  Ｃｏｍｐｕｔｅｒ  ａｎｄ  Ｃｏｍｍｕｎｉｃａｔｉｏｎｓ  Ｓｅｃｕｒｉｔｙ，  ｐａｇｅｓ  ９９−１１０，  ２０１１．
【図１】
0006478995.tif 000004
【図２】
0006478995.tif 000005
【図３】
0006478995.tif 000006
【図４】
0006478995.tif 000007
【図５】
0006478995.tif 000008
【図６】
0006478995.tif 000009
【図７】
0006478995.tif 000010
【図８】
0006478995.tif 000011
【図９Ａ】
0006478995.tif 000012
【図９Ｂ】
0006478995.tif 000013
【図１０】
0006478995.tif 000014
【図１１】
0006478995.tif 000015